(57)【要約】      （修正有）【課題】多色印刷において、見当合わせを行うための見当マークの相対位置を目視で容易に測定できる方法、見当マーク、見当マーク生成装置を提供する。【解決手段】見当マーク１８５を構成する本尺見当マーク１８５ａと副尺見当マーク１８５ｂの形状データを記録する見当マークデータ１８０と、色版オブジェクトを記録する製版データとを記憶する記憶手段と、見当マーク位置指定に含まれる見当マークの位置座標から、本尺見当マークまたは副尺見当マークの位置座標を生成して、生成した本尺見当マークの位置座標と本尺見当マーク形状データまたは、副尺見当マークの位置座標と副尺見当マーク形状データを含んだ色版オブジェクトを作成する見当マーク指定手段と、生成された色版オブジェクトを、製版データに追加して、見当マーク付製版データを生成する手段と、を備えた印刷見当マーク追加装置。【選択図】図４
2007044889.tif 000002
【特許請求の範囲】
【請求項１】
見当マークの位置座標を記録する見当マーク位置指定情報と、色版オブジェクトを記録する製版データと、見当マークを指定した色版オブジェクトを含んだ見当マーク付製版データと、見当マークを構成する本尺見当マークと副尺見当マークの形状データを記録する見当マークデータとを記憶する記憶手段と、
見当マーク位置指定に含まれる見当マークの位置座標から、本尺見当マークまたは副尺見当マークの位置座標を生成して、生成した本尺見当マークの位置座標と本尺見当マーク形状データ、または、副尺見当マークの位置座標と副尺見当マーク形状データを含んだ色版オブジェクトを作成する見当マーク指定手段と、
生成された色版オブジェクトを、製版データに追加して、見当マーク付製版データを生成する見当マーク付製版データ生成手段と、
を備えた印刷見当マーク追加装置。
【請求項２】
多色印刷における見当ズレを測定する方法であって、
一定長さの線分を等間隔に多数に配置した複数の見当マークであって、
少なくとも１つの見当マークの線分間隔は、他の見当マークの線分間隔とは異なる印刷見当マークであって、
一色目の印刷時に見当マークを形成させて、
２色目以降の印刷にて、一色目の印刷時に形成した印刷見当マークに隣接させて、一色目の印刷見当マークの線分間隔とは異なる見当マークを形成させて、
一色目の見当マークの目盛と２色目以降の印刷見当マークの一致させたい２つの線分と実際に一致している２つの線分の距離を計測して、所定の値を乗算することにより、一致させたい２つの線分のズレ量を算出する
ことを特徴とする見当ズレ量算出方法。
【請求項３】
一定長さの線分を等間隔に多数に配置した複数の多色印刷用見当マークであって、
少なくとも１つの印刷見当マークの線分間隔は、他の印刷見当マークの線分間隔とは異なる多色印刷用見当マークであって、
２つの異なる線分間隔の印刷見当マークの一致させたい２つの線分と実際に一致している２つの線分の間の線分本数を計測して、所定の値を乗算することにより、一致させたい２つの線分のズレ量を算出できる
ことを特徴とする多色印刷用見当マーク。
【請求項４】
印刷見当マーク追加装置と、刷版作成装置と、印刷機とから構成される印刷見当ズレ量測定システムであって、
前記印刷見当マーク追加装置は、
見当マークの位置座標を記録する見当マーク位置指定情報と、色版オブジェクトを記録する製版データと、見当マークを指定した色版オブジェクトを含んだ見当マーク付製版データと、見当マークを構成する本尺見当マークと副尺見当マークの形状データを記録する見当マークデータとを記憶する記憶手段と、
見当マーク位置指定に含まれる見当マークの位置座標から、本尺見当マークまたは副尺見当マークの位置座標を生成して、生成した本尺見当マークの位置座標と本尺見当マーク形状データ、または、副尺見当マークの位置座標と副尺見当マーク形状データを含んだ色版オブジェクトを作成する見当マーク指定手段と、
生成された色版オブジェクトを、製版データに追加して、見当マーク付製版データを生成する見当マーク付製版データ生成手段と、
を備えた追加装置であって、
前記刷版作成装置は、
見当マーク付製版データを受け取って、見当マーク付刷版を作成する刷版作成手段
を備えた作成装置であって、
前記印刷機は、
見当マーク付刷版を用いて多色印刷を行って、見当マーク付印刷物を作成する印刷手段
を備えた印刷機である
ことを特徴とする印刷見当ズレ量測定システム。
【請求項５】
コンピュータに組込むことによって、コンピュータを請求項１、または、請求項４に記載の印刷見当マーク生成装置として動作させるコンピュータプログラム。
【請求項６】
請求項５コンピュータプログラム媒体。
【発明の詳細な説明】
【技術分野】
【０００１】
本発明は、多色印刷で見当合わせを行う場合において、印刷位置のズレを測定する方法に関するものである。
【背景技術】
【０００２】
従来から、多色印刷で見当合わせを行うために、印刷領域の周辺に、トンボに代表される見当マークを印刷して、各色の見当マークの相対位置を測定して、ズレの程度を判定して、多色印刷で見当合わせの調整を行っている。
【０００３】
たとえば、特許文献１には、各色の見当マークの重なりの程度に応じて生じる印刷形状の相違から位置ズレの度合いを目視判断する技術が開示されている。（従来技術１）
【特許文献１】特公平７−４７３１０号公報（２〜３頁、図１〜５）また、特許文献２には、印刷された各色の見当マークの位置を測定して、位置ズレ量を測定する技術が開示されている。（従来技術２）
【特許文献２】特開２００２−１９２７０２号公報（４〜７頁、図１〜４）
【発明の開示】
【発明が解決しようとする課題】
【０００４】
しかし、従来技術１は、位置ズレの度合いを見ることは可能であるが、位置ズレ量を定量化できないという欠点があった。また、従来技術２は、印刷された各色の見当マークを目盛り付きルーペや顕微鏡等の道具を使用して拡大観察をしなかればならず、測定に時間がかかり、作業性が低下するという問題点があった。特に、顕微鏡観察の場合、印刷物から見当マーク部分を切り取る必要があり、測定作業を一層、煩雑にするという欠点があった。
【０００５】
本発明はこのような従来技術を考慮してなされたものであって、本発明の課題は、多色印刷において、見当合わせを行うための見当マークの相対位置を目視で容易に測定できる方法、見当マーク、見当マーク生成装置を提供することである。
【課題を解決するための手段】
【０００６】
本発明は、以下のような解決手段により、前記課題を解決する。すなわち、請求項１に記載の発明は、見当マークの位置座標を記録する見当マーク位置指定情報と、色版オブジェクトを記録する製版データと、見当マークを指定した色版オブジェクトを含んだ見当マーク付製版データと、見当マークを構成する本尺見当マークと副尺見当マークの形状データを記録する見当マークデータとを記憶する記憶手段と、見当マーク位置指定に含まれる見当マークの位置座標から、本尺見当マークまたは副尺見当マークの位置座標を生成して、生成した本尺見当マークの位置座標と本尺見当マーク形状データ、または、副尺見当マークの位置座標と副尺見当マーク形状データを含んだ色版オブジェクトを作成する見当マーク指定手段と、生成された色版オブジェクトを、製版データに追加して、見当マーク付製版データを生成する見当マーク付製版データ生成手段と、を備えた印刷見当マーク追加装置である。
【０００７】
したがって、見当マークの追加された製版データを容易に生成することができる。
【０００８】
請求項２に記載の発明は、多色印刷における見当ズレを測定する方法であって、一定長さの線分を等間隔に多数に配置した複数の見当マークであって、少なくとも１つの見当マークの線分間隔は、他の見当マークの線分間隔とは異なる印刷見当マークであって、一色目の印刷時に見当マークを形成させて、２色目以降の印刷にて、一色目の印刷時に形成した印刷見当マークに隣接させて、一色目の印刷見当マークの線分間隔とは異なる見当マークを形成させて、一色目の見当マークの目盛と２色目以降の印刷見当マークの一致させたい２つの線分と実際に一致している２つの線分の距離を計測して、所定の値を乗算することにより、一致させたい２つの線分のズレ量を算出することを特徴とする見当ズレ量算出方法である。
【０００９】
したがって、見当マークを印刷することで、所定の位置からの印刷のズレの量を算出できる。
【００１０】
請求項３に記載の発明は、一定長さの線分を等間隔に多数に配置した複数の多色印刷用見当マークであって、少なくとも１つの印刷見当マークの線分間隔は、他の印刷見当マークの線分間隔とは異なる多色印刷用見当マークであって、２つの異なる線分間隔の印刷見当マークの一致させたい２つの線分と実際に一致している２つの線分の間の線分本数を計測して、所定の値を乗算することにより、一致させたい２つの線分のズレ量を算出できることを特徴とする多色印刷用見当マークである。
【００１１】
したがって、目視により、印刷見当マークの線分本数を計測して、所定の位置からのズレ量を、定量的に求めることができる。
【００１２】
請求項４に記載の発明は、印刷見当マーク追加装置と、刷版作成装置と、印刷機とから構成される印刷見当ズレ量測定システムであって、前記印刷見当マーク追加装置は、見当マークの位置座標を記録する見当マーク位置指定情報と、色版オブジェクトを記録する製版データと、見当マークを指定した色版オブジェクトを含んだ見当マーク付製版データと、見当マークを構成する本尺見当マークと副尺見当マークの形状データを記録する見当マークデータとを記憶する記憶手段と、見当マーク位置指定に含まれる見当マークの位置座標から、本尺見当マークまたは副尺見当マークの位置座標を生成して、生成した本尺見当マークの位置座標と本尺見当マーク形状データ、または、副尺見当マークの位置座標と副尺見当マーク形状データを含んだ色版オブジェクトを作成する見当マーク指定手段と、生成された色版オブジェクトを、製版データに追加して、見当マーク付製版データを生成する見当マーク付製版データ生成手段と、を備えた追加装置であって、前記刷版作成装置は、見当マーク付製版データを受け取って、見当マーク付刷版を作成する刷版作成手段を備えた作成装置であって、前記印刷機は、見当マーク付刷版を用いて多色印刷を行って、見当マーク付印刷物を作成する印刷手段を備えた印刷機であることを特徴とする印刷見当ズレ量測定システムである。
【００１３】
請求項５に記載の発明は、コンピュータに組込むことによって、コンピュータを請求項１、または、請求項４に記載の印刷見当マーク生成装置として動作させるコンピュータプログラムである。
【００１４】
請求項６に記載の発明は、請求項５コンピュータプログラム媒体である。
【発明の効果】
【００１５】
本願発明によれば、多色印刷の色ズレ量測定において、道具を用いずに、目視により、色ズレ量を定量的に測定することが可能になり、作業能率が大幅に向上する。また、印刷物を加工せずに、色ズレ量を測定することが可能になり、測定作業量が大幅に軽減される。
【発明を実施するための最良の形態】
【００１６】
以下、図面等を参照しながら、本発明の実施の形態について、更に詳しく説明する。図１は、見当マークを用いた印刷見当ズレ量測定システム１の処理の説明図である。見当マーク付加装置１００は、編集の終了した製版データ１６０を受け取る（図１（ア））。見当マークデータ１８０を製版データ１６０に付加して、見当マーク付製版データ１７０を生成する（同（イ））。刷版作成装置３００は、（カ）見当マーク付製版データ１７０を用いて、刷版３５０を作成する（同（カ）。印刷機５００は、刷版３５０を用いて、多色印刷をする（同（サ））。印刷機操作者は、印刷物５５０の見当マーク１８５を目視で観察して、見当マーク１８５のズレ量を測定する（同（シ））。印刷機操作者は、見当マーク１８５のズレ量から、印刷機の調整情報を算出して、印刷機５００を調整する（同（ス））。印刷物５５０の見当マーク１８５のズレ量が所定の条件を満たすまで、（サ）から（ス）までを繰り返す（同（タ））。
【００１７】
図２は、本発明による見当マーク付加装置の詳細な構成図である。見当マーク付加装置１００は、見当マーク指定手段１１０と、見当マーク付製版データ生成手段１３０と、記憶手段１９０とを備える。記憶手段１９０は、見当マーク位置指定１５０と、製版データ１６０と、見当マーク付製版データ１７０と、見当マークデータ１８０とを記憶する。
【００１８】
見当マーク位置指定情報１５０は、見当マークの位置座標を記録する。製版データ１６０は、色版オブジェクトを記録する。見当マーク付製版データ１７０は、見当マークを指定した色版オブジェクトを含んだ製版データである。見当マークデータ１８０は、見当マークを構成する本尺見当マークと副尺見当マークの形状データを記録する。
【００１９】
見当マーク指定手段１１０は、見当マーク位置指定１５０に含まれる見当マークの位置座標から、本尺見当マークまたは副尺見当マークの位置座標を生成して、生成した本尺見当マークの位置座標と本尺見当マーク形状データ、または、副尺見当マークの位置座標と副尺見当マーク形状データを含んだ色版オブジェクトを作成する。見当マーク付製版データ生成手段１３０は、生成された色版オブジェクトを、製版データ１６０に追加して、見当マーク付製版データ１７０を生成する。
【００２０】
見当マーク指定手段１１０と、見当マーク付製版データ生成手段１３０とは、コンピュータプログラムである。記憶手段１５０は、不揮発性記憶メモリーである。見当マーク位置指定情報１５０と、製版データ１６０と、ノックアウト用製版データ１７０とは、コンピュータ可読データである。
【００２１】
図３は、製版データの説明図である。製版データ１６０は、色版オブジェクト１６１と管理オブジェクト１６２を含んでいる。
【００２２】
色版オブジェクト１６１は、“色版ＩＤ”１６１ａ、“位置座標” １６１ｂ、“色版位置オブジェクトデータ”１６１ｃなどから、構成される。なお、“色版ＩＤ”は、このオブジェクトを印刷するときのインキ色を示す識別記号であって、“位置座標”は、“色版位置オブジェクトデータ” １６１ｃを印刷するときの座標の値であって、“色版位置オブジェクトデータ”１６１ｃは、印刷する画像データや文字データや形状データである。
【００２３】
ここで、たとえば、“色版ＩＤ＝墨ＩＤ”であれば、色版オブジェクト１６１は、墨版で印刷するための墨版オブジェクト１６３であることを示していて、同様に、“色版ＩＤ＝藍ＩＤ”であれば、色版オブジェクト１６１は、藍版で印刷するための藍版オブジェクト１６４であることを示している。“色版ＩＤ＝紅ＩＤ”であれば、色版オブジェクト１６１は、紅版で印刷するための紅版オブジェクト１６５であることを示している。“色版ＩＤ＝黄ＩＤ”であれば、色版オブジェクト１６１は、黄版で印刷するための黄版オブジェクト１６６であることを示している。
【００２４】
したがって、たとえば、墨オブジェクト１６３は、“墨ＩＤ”、“位置座標”、“墨データ”などで、構成される。なお、“墨ＩＤ”は、このオブジェクトが墨オブジェクト１６３であることを示す識別記号であって、墨オブジェクト１６３の“位置座標”は、“墨データ”座標の値であって、墨オブジェクト１６３の“墨データ”は、墨版で印刷する画像データや文字データや形状データである。
【００２５】
他の色版オブジェクトの構成も、同様である。
【００２６】
ここで、見当マークデータ１８０の本尺マーク形状データ１８０ａや副尺マーク形状データ１８０ｂは、“色版位置オブジェクトデータ” １６１ｃに記録される。
【００２７】
また、管理オブジェクト１６２は、“管理ＩＤ”、“製版サイズ”、“仕上りサイズ”、“原点座標”、“トンボ位置”などで、構成される。
【００２８】
図４は、見当マークデータ１８０の説明図である。見当マークデータ１８０は、本尺見当マーク形状データ１８０ａと副尺見当マーク形状データ１８０ｂから構成されている。本尺見当マーク形状データ１８０ａは、製版データ１６０に組み込んで、見当マーク付製版データ１７０（詳細後述）を生成することによって、本尺見当マーク１８５ａを印刷する。副尺見当マーク形状データ１８０ｂは、製版データ１６０に組み込んで、見当マーク付製版データ１７０（詳細後述）を生成することによって、副尺見当マーク１８５ｂを印刷する。
【００２９】
図５は、見当マーク付製版データ１７０の例である。たとえば、墨版で印刷される本尺見当マーク１８５ａは、墨版オブジェクト１６３の色版オブジェクト・データ１６３ｃに、本尺見当マーク形状データ１８０ａが記録されて、座標１６１ｃに、本尺見当マーク座標が記録される。藍版で印刷される副尺見当マーク１８５ｂは、藍版オブジェクト１６４の色版オブジェクト・データ１６４ｃには、副尺見当マークデータ１８０ｂが記録されて、座標１６４ｃに、副尺見当マーク座標が記録される。
【００３０】
図６は、見当マークを配置した刷版３５０の説明図である。図５で説明した見当マーク付製版データ１７０から作成された刷版３５０の所定の位置には、本尺見当マーク１８５ａや副尺見当マーク１８５ｂが配置されている。つまり、墨色用の刷版３５０ａには、見当マーク付製版データ１７０に含まれる墨版オブジェクト１６３の本尺見当マーク形状データ１８０ａにより、本尺見当マーク１８５ａが形成されて、配置される。同様に、藍色用の刷版３５０ｂには、見当マーク付製版データ１７０に含まれる藍版オブジェクト１６４の副尺見当マーク形状データ１８０ｂにより、副尺見当マークデータ１８５ｂが形成されて、配置される。
【００３１】
ここで、２つの見当マーク（墨色用の刷版３５０ａの本尺見当マーク１８５ａと藍色用の刷版３５０ｂの副尺見当マーク１８５ｂ）の原点は、一致するように配置されている。
【００３２】
なお、印刷進行方向の見当ズレと進行直角方向の見当ズレを同時に測定する場合には、見当マークの設定場所を印刷進行方向とその直角方向の２箇所に配置すれば良い。
【００３３】
図７は、印刷された見当マークの例である。図６で説明した墨色用の刷版３５０ａと藍色用の刷版３５０ｂで印刷された印刷物５５０は、見当マーク１８５を形成している。この見当マーク１８５によると、本尺見当マーク１８５ａと副尺見当マーク１８５ｂの原点が、見当ズレを起こしていることが、目視で確認できる。
【００３４】
たとえば、本尺見当マーク１８５ａの線分は、太さ0.05mm、長さ10〜20mm程度にして、目盛間隔1mm刻みにして、原点を間に置いて、−10mmから50mmまで形成する。一方、副尺見当マーク１８５ｂの線分は、太さ0.05mm 、長さ8〜12mm程度にして、所定の目盛間隔を設ける。
【００３５】
なお、３色印刷や、４色印刷のように印刷インキの種類が増えた場合には、副尺見当マーク１８５ｂを印刷する刷版を増やせばよい。一般的には、本尺見当マーク１８５ａは、インキの色の濃い墨版で印刷して、副尺見当マーク１８５ｂは、藍、紅、黄版で印刷する。このとき、墨版の本尺見当マーク１８５ａは、適切な間隔（たとえば、20mm以上）を置いて、３箇所に配置して、各色の副尺は、それぞれの本尺の原点（0mm）に位置あわせして、配置すれば、同様の効果が得られる。
【００３６】
図８は、見当マークのズレ量測定の仕組みを説明する図である。見当マーク１８５は、本尺見当マーク１８５ａと副尺見当マーク１８５ｂとから、構成されている。副尺見当マークの目盛１８５ｚは、本尺見当マークの目盛１８５ｙの縮小目盛である。たとえば、本尺見当マークの目盛１８５ｙの尺度が「１」に対して、副尺見当マークの目盛１８５ｚの尺度が「９／１０」となるように、目盛が振られている。つまり、本尺見当マークの目盛１８５ｙ「９」個に対して、副尺見当マークの目盛１８５ｚ「１０」個が割り当てられている。
【００３７】
図９は、本尺見当マークと副尺見当マークの見当ズレ量の算出方法の説明図である。
本尺見当マークの原点１８５ｇと副尺見当マークの原点１８５ｈとが一致せずにズレれている場合に、本尺見当マークの目盛１８５ｙと副尺見当マークの目盛１８５ｚとが一致する目盛を探す。たとえば、一致する目盛が「７」 １８５ｍであるときには、副尺見当マークの原点１８５ｈと目盛「７」の距離が、７×９／１０であるので、本尺見当マークの原点１８５ｇと副尺見当マークの原点１８５ｈのズレ量１８５ｎは、本尺見当マークの原点と目盛「７」の距離から、副尺見当マークの原点と目盛「７」の距離を減算すると、２つの原点の距離が算出できる。つまり、７− ７×９／１０＝７／１０と算出される。
【００３８】
図１０は、見当マーク生成処理のフローチャートである。
（１）製版者は、見当マーク１８５の位置座標を含んだ見当マーク位置指定情報１５０を作成する。（ステップＳ１１０）
（２）見当マーク指定手段１１０は、見当マーク位置指定情報１５０に含まれる見当マーク１８５の位置座標から、本尺見当マーク１８５ａの位置座標を生成して、本尺見当マーク形状データ１８０ａを含んだ墨版オブジェクト１６３を作成する。（ステップＳ１２０）
（３）見当マーク指定手段１１０は、見当マーク指定情報に含まれる見当マーク位置指定情報１５０から、 副尺見当マーク１８５ｂの位置座標を生成して、副尺見当マークデータ１８０ｂを含んだ藍版オブジェクト１６４を作成する。このステップの先頭に戻って、同様にして、紅版オブジェクト１６５と黄版オブジェクト１６６を作成する。（ステップＳ１３０）
（４）見当マーク付製版データ生成手段１３０は、生成された前記色版オブジェクトを、製版データ１６０に追加して、見当マーク付製版データ１７０を生成する。（ステップＳ１４０）
（５）付加すべき見当マークがあれば、ステップ(２)に戻る。なければ、終了する。（ステップＳ１５０）
【００３９】
なお、実施例の説明では、本尺見当マークと副尺見当マークの線分領域が接するよう場合を説明したが、本尺見当マークと副尺見当マークの線分領域を互いに重ね合わせる様に配置しても良い。そのことにより、見当マーク線分の重なり具合がさらに目視確認しやすくなる。また、線分領域が遠くなる方向に印刷ズレを起こしても、互いの線分領域が離れることがなく、測定を可能にする。ちなみに、本尺と副尺の線分領域を、互いに５mm程度重なるように配置すれば、実用上問題は生じない。
【００４０】
以上詳しく説明したように、本願発明によれば、多色印刷の色ズレ量測定において、道具を用いずに、目視により、色ズレ量を定量的に測定することが可能になり、作業能率が大幅に向上した。また、印刷物を加工せずに、色ズレ量を測定することが可能になり、測定作業量が大幅に軽減された。
【図面の簡単な説明】
【００４１】
【図１】見当マークを用いた印刷見当ズレ量測定システムの処理の説明図
【図２】本発明による見当マーク追加装置の詳細な構成図
【図３】製版データの構成説明図
【図４】見当マークデータの説明図
【図５】見当マーク付製版データの例
【図６】見当マークを配置した刷版の説明図
【図７】印刷された見当マークの例
【図８】見当マークの仕組みの説明図
【図９】本尺見当マークと副尺見当マークの見当ズレ量の算出方法の説明図
【図１０】見当マーク追加装置のフローチャート
【符号の説明】
【００４２】
１  見当マークを用いた印刷見当ズレ量測定システム
１００  見当マーク付加装置
１１０  見当マーク指定手段
１３０  見当マーク付製版データ生成手段
１５０  見当マーク位置指定情報
１６０  製版データ
１６１  色版オブジェクト
１６２  管理オブジェクト
１６１ａ  色版ＩＤ
１６１ｂ  位置座標
１６１ｃ  色版位置オブジェクトデータ
１６３  墨版オブジェクト
１６４  藍版オブジェクト
１６５  紅版オブジェクト
１６６  黄版オブジェクト
１７０  見当マーク付製版データ
１８０  見当マークデータ
１８０ａ  本尺マーク形状データ
１８０ｂ  副尺マーク形状データ
１８５ｙ  本尺見当マークの目盛
１８５ｚ  副尺見当マークの目盛
１８５ｇ  本尺見当マークの原点
１８５ｈ  副尺見当マークの原点
１８５ｎ  ズレ量
１９０  記憶手段
３００  刷版作成装置
３５０  刷版
３５０ａ  墨色用の刷版
３５０ｂ  藍色用の刷版
５００  印刷機
５５０  印刷物
【図１】
2007044889.tif 000003
【図２】
2007044889.tif 000004
【図３】
2007044889.tif 000005
【図４】
2007044889.tif 000006
【図５】
2007044889.tif 000007
【図６】
2007044889.tif 000008
【図７】
2007044889.tif 000009
【図８】
2007044889.tif 000010
【図９】
2007044889.tif 000011
【図１０】
2007044889.tif 000012